(57)【特許請求の範囲】
【請求項１】
設置面に設置される画像形成装置の一側面部に隣接され、用紙を前記画像形成装置に給紙するもので、
前記画像形成装置の一側面部下部の載置部に載置される給紙装置本体と、
この給紙装置本体の底部に回動自在に設けられた取付手段と、
この取付手段に取り付けられ、該取付手段の回動に基いて前記設置面に接触する第１の位置、前記設置面から離間する第２の位置との間で移動するキャスタと、
このキャスタを前記第１の位置及び第２の位置でそれぞれ固定する固定手段と
を具備することを特徴とする大容量給紙装置。
【請求項２】
前記取付手段は前記キャスタを回転自在に支持するブラケットを有し、このブラケットを前記第１の位置と第２の位置との間で４５度回動させることを特徴とする請求項１記載の大容量給紙装置。
【請求項３】
前記キャスタは紡錘状をなすことを特徴とする請求項１または２項に記載の大容量給紙装置。
【発明の詳細な説明】
【０００１】
【発明の属する技術分野】
本発明は、例えば、電子写真複写機に対し用紙を連続的に大量に給紙する大容量給紙装置に関する。
【０００２】
【従来の技術】
この種の大容量給紙装置は、複写機本体の側面部に対し着脱自在に取付けられて用紙を給紙するようになっている。
【０００３】
この大容量給紙装置はその装置本体の底面部にキャスタを備え、このキャスタの回転によりスムーズに移動できるようになっている。
【０００４】
【発明が解決しようとする課題】
しかしながら、従来においては、キャスタを給紙装置本体の底部に下方に向かって突出する状態で固定的に取付けていたため、複写機本体に対して給紙装置を取付ける際に、その設置面が複写機本体から給紙装置側に向かって上昇するように傾斜しているような場合には、キャスタが設置面に当接して給紙装置をスムーズに複写機本体に取付けることができないという不都合があった。
【０００５】
本発明は上記事情に着目してなされたもので、設置面が傾斜している場合であっても画像形成装置に対してスムーズに取付けることができるようにした大容量給紙装置を提供することを目的とする。
【０００６】
【課題を解決するための手段】
本発明は上記課題を解決するため、請求項１記載のものは、設置面に設置される画像形成装置の一側面部に隣接され、用紙を前記画像形成装置に給紙するもので、前記画像形成装置の一側面部下部の載置部に載置される給紙装置本体と、この給紙装置本体の底部に回動自在に設けられた取付手段と、この取付手段に取り付けられ、該取付手段の回動に基いて前記設置面に接触する第１の位置、前記設置面から離間する第２の位置との間で移動するキャスタと、このキャスタを前記第１の位置及び第２の位置でそれぞれ固定する固定手段とを具備する。
【０００７】
【発明の実施の形態】
以下、本発明を図面に示す実施の形態を参照して説明する。
図１は本発明の一実施の形態である画像形成装置としての電子写真複写機及び大容量給紙装置を示す正面図である。
図中１は電子写真複写機で、この電子写真複写機１の側面部に大容量給紙装置２が取り付けられている。大容量給紙装置２の装置本体２Ａ内には用紙が例えば、４０００枚程度大量に収納され、電子写真複写機１に給紙されるようになっている。装置本体２Ａの底部にはキャスタ４が取付けられ、装置本体２Ａをスムーズに移動させることができるようになっている。
【０００８】
図２は大容量給紙装置２の取付構造を分解して示す斜視図である。
複写機１の底面部には断面コ字状の支持レール５，５が配設され、これら支持レール５，５上に載置台６が支持される。載置台６の一側部には起立片７が溶接され、この起立片７の両側部には位置決めピン８，８が突設されているとともに、固定ネジ９を挿通させる挿通口１０が複数穿設されている。
【０００９】
複写機１の側面下部には位置決めピン８，８を挿入させる位置決め孔１１，１１が穿設されているとともに、挿通口１０に対向するネジ孔１２が複数穿設されている。
【００１０】
載置台６の両端部には下方に直角に折り曲げられる折曲部１３が形成され、この折曲部１３の両側部にはネジ孔１４が穿設されているとともに、位置決めピン１５が突設されている。
【００１１】
載置台６は支持レール５，５上に支持されてその起立片７の位置決めピン８，８を複写機側面下部の位置決め孔１１，１１内に挿入させて位置決めしたのち、挿通孔１０から固定ネジ９を挿入して複写機側面下部のネジ孔１２にネジ込んで固定する。
【００１２】
また、図中１７は給紙装置本体２Ａの底部に取付けられる底板部で、この底板部１７の両端部には下方に直角に折り曲げられる折曲部１８が形成され、この折曲部１８の両側部には固定ネジ１９を挿通させるネジ孔２０が穿設されているとともに、位置決めピン１５に係合する凹部２１が形成されている。
【００１３】
給紙装置本体２Ａの底板部１７は載置台６上に載置されて押し込まれることにより、その両端部の凹部２１，２１が載置台６の位置決めピン１５，１５に係合されて位置決めされる。この位置決め後、固定ネジ１９，１９を挿通孔２０，２０から載置台６のネジ孔１４，１４にネジ込んで底板部１７を固定する。
【００１４】
図３は給紙装置本体２Ａの底板部１７に取付けられるキャスタ４，４を示す斜視図で、図４はその取付構造を拡大して示す図である。
【００１５】
キャスタ４は取付手段としてのブラケット２４に回転軸２５を介して回転自在に取り付けられている。キャスタ４は図５に示すように紡錘状に形成されている。ブラケット２４は支軸２６を介して底板フレーム部１７ａに回動自在に取り付けられているとともに、固定手段としての固定ネジ２８により底板フレーム部１７ｂに固定されている。
【００１６】
ブラケット２４の下端部の反キャスタ４側には水平に突出する突出部２９が形成され、この突出部２９には後述するドライバー等を挿入させるための挿入口２９ａが穿設されている。
【００１７】
次に、大容量給紙装置２の取付動作について説明する。
【００１８】
大容量給紙装置２の取付前において、キャスタ４は、図６及び図７に示すように、その取付ブラケット２４が上方へ４５度回動されて固定ネジ２８により底板フレーム部１７ｃに固定された状態となっている。即ち、キャスタ４は上方（第２の位置Ｂ）へ退避された状態となっている。このようにキャスタ４が上方へ退避された状態で大容量給紙装置２が載置台６上に載置されて取付けられる。
【００１９】
大容量給紙装置２を載置台６上に取付けたのちは、取付ブラケット２４の固定ネジ２８を緩めて外す。ついで、図６に示すようにキャスタ４の取付ブラケト２４の突出部２９の挿入口２９ａにドライバーＤを挿入してドライバーＤを図８に示すように下方に回動させるか、または、取付ブラケット２４の突出部２９の曲げ位置を押して回動させる。
【００２０】
これにより、図９に示すように取付ブラケット２４の上部側が底板フレーム部１７ｂに接合されてキャスタ４が大容量給紙装置２の底面部の第１の位置Ａに位置する。しかるのち、固定ネジ２８により取付ブラケット２４の上部側を底板フレーム部１７ｂに固定して取り付けを終了する。
【００２１】
上記したように、キャスタ４を上方（第２の位置Ｂ）に退避させるため、大容量給紙装置２の取付時に、図７に示すように設置面Ｓが２点鎖線で示すような傾斜面Ｓ１になっているような場合であっても、キャスタ４を傾斜面Ｓ１に当接することなく、載置台６上にスムーズに取付けることが可能となる。
【００２２】
また、キャスタ４を紡錘状に形成するため、キャスタ４はその中央下部側を設置面Ｓに対して点的に接触する。このため、キャスタ４の摩擦抵抗が少なく、キャスタ４の軸方向への大容量給紙装置２の移動もスムーズに行うことが可能となる。
【００２３】
なお、本発明は上記一実施の形態に限られることなく、その要旨の範囲内で種々変形実施可能なことは勿論である。
【００２４】
【発明の効果】
本発明は以上説明したように、キャスタを第１の位置から上方の第２の位置に退避させた状態で、給紙装置を取付けるため、設置面が給紙装置側に向かって上昇するような傾斜面となっていても、キャスタを傾斜面に当接することなく、スムーズに取付けることができるという効果を奏する。
【図面の簡単な説明】
【図１】本発明の一実施の形態である画像形成装置及び大容量給紙装置を示す構成図。
【図２】大容量給紙装置の取付部を分解して示す斜視図。
【図３】大容量給紙装置を示す斜視図。
【図４】キャスタの取付構造を示す図。
【図５】キャスタを示す正面図。
【図６】キャスタが退避する第２の位置から給紙装置の底部側の第１の位置へ移動させる状態を示す斜視図。
【図７】キャスタが第２の位置に位置する状態を示す正面図。
【図８】キャスタが給紙装置の底面部側の第１の位置に位置した状態を示す斜視図。
【図９】キャスタが第１の位置に位置した状態を示す正面図。
【符号の説明】
１…電子写真複写機（画像形成装置）
２…大容量給紙装置
２Ａ…給紙装置本体
４…キャスタ
２４…ブラケット（取付手段）
Ａ…第１の位置
Ｂ…第２の位置
【図１】
0004008750.tif 000002
【図２】
0004008750.tif 000003
【図３】
0004008750.tif 000004
【図４】
0004008750.tif 000005
【図５】
0004008750.tif 000006
【図６】
0004008750.tif 000007
【図７】
0004008750.tif 000008
【図８】
0004008750.tif 000009
【図９】
0004008750.tif 000010